Podtech/llm-jp-corpus-v4-ja_patent huggingface dataset:
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
表示装置であって、
第１入力部および第２入力部を含む複数の入力部と、
前記複数の入力部のうち少なくとも一つの入力部から入力される画像情報に基づく画像を表示面に表示する表示部と、
前記表示装置の動作に関する設定情報に基づいて前記表示装置を制御して前記表示部に前記画像を表示させ、また、前記設定情報を変更する第１指示に応じて前記設定情報を第１設定情報から第２設定情報に変更する制御部と、
を有し、
前記制御部は、
前記表示部に前記第１入力部から入力される第１画像情報に基づく第１画像を表示させている状態で、前記設定情報を前記第１設定情報から前記第２設定情報に変更した第１状態において、前記表示部に前記第２入力部から入力される第２画像情報に基づく第２画像を表示させる第２指示を受け取ると、前記設定情報を前記第２設定情報から前記第１設定情報に変更しかつ前記表示部に前記第２画像を表示させることを特徴とする表示装置。
【請求項２】
前記設定情報が前記第１設定情報から前記第１設定情報とは異なる情報に変更される頻度が閾値を超える場合に、前記第１設定情報を変更する変更部をさらに有することを特徴とする請求項１に記載の表示装置。
【請求項３】
前記変更部は、前記異なる情報に基づいて前記第１設定情報を変更することを特徴とする請求項２に記載の表示装置。
【請求項４】
前記制御部は、前記第１設定情報を設定するための第１設定画面と、前記第２設定情報を設定するための第２設定画面とを、前記表示部に表示させることを特徴とする請求項１から３のいずれか１項に記載の表示装置。
【請求項５】
前記第１設定画面は、第１の設定項目について前記第１設定情報を設定するための部分画像と、第２の設定項目について前記第１設定情報を設定するための部分画像とを含む画面であり、
前記第２設定画面は、前記第１の設定項目について前記第２設定情報を設定するための部分画像を含み、前記第２の設定項目について前記第２設定情報を設定するための部分画像は含まない画面であることを特徴とする請求項４に記載の表示装置。
【請求項６】
前記表示部は、前記第２設定画面において前記第１設定情報を変更する操作が行われた際に第３画像を前記表示面に表示することを特徴とする請求項４または５に記載の表示装置。
【請求項７】
前記制御部は、前記状態で前記第２指示を受け取ると、
前記表示装置の動作モードが第１モードである場合には、前記設定情報を前記第２設定情報から前記第１設定情報に変更しかつ前記表示部に前記第２画像を表示させ、
前記動作モードが第２モードである場合には、前記設定情報を前記第２設定情報に維持しかつ前記表示部に前記第２画像を表示させることを特徴とする請求項１から６のいずれか１項に記載の表示装置。
【請求項８】
第１入力部および第２入力部を含む複数の入力部を含む表示装置の制御方法であって、
前記複数の入力部のうち少なくとも一つの入力部から入力される画像情報に基づく画像を表示面に表示するステップと、
前記表示装置の動作に関する設定情報に基づいて前記表示装置を制御して前記画像を前記表示面に表示するステップと、
前記設定情報を変更する第１指示に応じて前記設定情報を第１設定情報から第２設定情報に変更するステップと、
前記第１入力部から入力される第１画像情報に基づく第１画像を前記表示面に表示している状態で、前記設定情報を前記第１設定情報から前記第２設定情報に変更した第１状態において、前記第２入力部から入力される第２画像情報に基づく第２画像を前記表示面に表示する第２指示を受け取ると、前記設定情報を前記第２設定情報から前記第１設定情報に変更しかつ前記第２画像を前記表示面に表示するステップと、を有することを特徴とする表示装置の制御方法。
【手続補正２】
【補正対象書類名】明細書
【補正対象項目名】００３５
【補正方法】変更
【補正の内容】
【００３５】
例えば、利用者は、受付部４を用いて台形歪補正ボタンＫ１を操作することで、台形歪補正値の第２設定情報（図３では「ＦＦ」で示されている）を設定する。利用者は、受付部４を用いてカラーモードボタンＫ２を操作することで、カラーモードの第２設定情報（図３では「ＤＤ」で示されている）を設定する。利用者は、受付部４を用いて音量ボタンＫ３を操作することで、音量の第２設定情報（図３では「ＢＢ」で示されている）を設定する。ここで、台形歪補正ボタンＫ１や、カラーモードボタンＫ２、音量ボタンＫ３は、第１の設定項目について第２情報を設定するための部分画像の一例である。
なお、第２設定画面Ｉ２では、ＩＰアドレスを変更することはできない。
【手続補正書】
【提出日】令和2年1月29日(2020.1.29)
【手続補正１】
【補正対象書類名】明細書
【補正対象項目名】０００５
【補正方法】変更
【補正の内容】
【０００５】
上記目的を達成するために、本発明は、以下の構成によって把握される。
本発明の鍵盤楽器は、鍵盤部と、前記鍵盤部を開閉可能に覆う鍵盤蓋と、前記鍵盤蓋とは別に設けられた譜面立てと、前記鍵盤蓋の開動作に連動して前記譜面立てを起立させる連動部と、を有することを特徴とする。
【手続補正２】
【補正対象書類名】特許請求の範囲
【補正対象項目名】全文
【補正方法】変更
【補正の内容】
【特許請求の範囲】
【請求項１】
鍵盤部と、
前記鍵盤部を開閉可能に覆う鍵盤蓋と、
前記鍵盤蓋とは別に設けられた譜面立てと、
前記鍵盤蓋の開動作に連動して前記譜面立てを起立させる連動部と、
を有する鍵盤楽器。
【請求項２】
前記連動部は、前記鍵盤蓋の閉動作に連動して前記譜面立ての起立状態を解除する、請求項１に記載の鍵盤楽器。
【請求項３】
前記譜面立ては、前記鍵盤部を収容する楽器本体の天板に回転可能に設けられ、
前記連動部は、前記鍵盤蓋の開動作に連動して前記譜面立てを起立させるとともに、前記鍵盤蓋の閉動作に連動して前記譜面立てを前記天板に収納させることを特徴とする請求項２に記載の鍵盤楽器。
【請求項４】
前記譜面立ては、
譜面を支持する譜面受けと、
前記譜面受けに対して交差する方向に設けられた基材と、
前記譜面立てを回転可能に支持する回転軸と、を有し、
前記回転軸が前記天板に取り付けられていることを特徴とする請求項３に記載の鍵盤楽器。
【請求項５】
前記鍵盤蓋は、折り曲げ可能な前蓋と後蓋とを有し、
前記連動部は、前記後蓋と前記基材とを含んで構成され、前記前蓋と前記後蓋を折り曲げて開く際に、前記後蓋が前記基材を押し上げて前記譜面立てを起立させることを特徴とする請求項４に記載の鍵盤楽器。
【請求項６】
前記基材には錘が取り付けられており、
前記連動部は、前記前蓋と前記後蓋を延ばして閉じる際に、前記譜面立ては前記錘の作用により回転して収納されることを特徴とする請求項５に記載の鍵盤楽器。
【請求項７】
前記連動部は、前記鍵盤蓋の開閉動作に連動して動作する部材部分が、前記譜面立ての回転に連動して動作する部材部分を押すことで前記譜面立てを起立させることを特徴とする請求項３から請求項６のいずれか１項に記載の鍵盤楽器。
【請求項８】
前記鍵盤蓋は、連結部材によって折り曲げ可能に連結された前蓋と後蓋とを有し、
前記前蓋及び前記後蓋を延ばした状態で前記鍵盤部を覆うとともに、前記前蓋及び前記後蓋を折り曲げた状態で前記鍵盤部を開放することを特徴とする請求項１から請求項７のいずれか１項に記載の鍵盤楽器。
【請求項９】
前記譜面立てを起立した状態で固定する固定機構を有することを特徴とする請求項１から請求項８のいずれか１項に記載の鍵盤楽器。
【請求項１０】
スピーカの音を所定方向へ放音する放音蓋を有し、
前記連動部は、前記鍵盤蓋の開動作に連動して前記放音蓋を開くとともに、前記鍵盤蓋の閉動作に連動して前記放音蓋を閉じる放音蓋開閉機構を有することを特徴とする請求項１から請求項９までのいずれか１項に記載の鍵盤楽器。
【請求項１１】
前記連動部の前記放音蓋開閉機構は、
前記鍵盤蓋の開動作によって前記譜面立てが起立した際に、前記放音蓋を開方向へ付勢する付勢材を有し、
前記鍵盤蓋の閉動作によって前記譜面立てが収納されると、前記譜面立ての重量により前記放音蓋を閉じることを特徴とする請求項１０に記載の鍵盤楽器。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
軸受面を有する第１部材と、
前記第１部材の背面側に設けられる第２部材と、を備え、
前記第１部材の背面、または、前記第１部材の前記背面に対向する前記第２部材の表面の少なくとも一方は、前記第１部材と前記第２部材との間に空洞を形成するための凹部を有し、
前記第１部材は、銅又は銅合金により形成され、
前記第２部材は、鋼により形成される
ことを特徴とするティルティングパッド軸受用の軸受パッド。
【請求項２】
前記第２部材の背面側に設けられ、前記第１部材及び前記第２部材を傾動可能に支持する支持部材をさらに備え、
前記凹部は、前記軸受パッドの平面視において、前記支持部材の設置範囲の少なくとも一部にわたって形成されることを特徴とする請求項１に記載のティルティングパッド軸受用の軸受パッド。
【請求項３】
前記凹部は、前記軸受パッドの平面視において、前記支持部材の前記設置範囲の全体にわたって形成されることを特徴とする請求項２に記載のティルティングパッド軸受用の軸受パッド。
【請求項４】
前記空洞は、前記軸受パッドの外部空間に連通していることを特徴とする請求項１乃至３の何れか一項に記載のティルティングパッド軸受用の軸受パッド。
【請求項５】
前記ティルティングパッド軸受は、前記軸受面に潤滑油を供給するためのノズルを備えた直接潤滑方式の軸受を含むことを特徴とする請求項１乃至４の何れか一項に記載のティルティングパッド軸受用の軸受パッド。
【請求項６】
請求項１乃至５の何れか一項に記載の少なくとも一つの軸受パッドと、
前記少なくとも一つの軸受パッドの外周側に設けられ、前記少なくとも一つの軸受パッドを保持するように構成されたキャリアリングと、
を備えることを特徴とするティルティングパッド軸受。
【請求項７】
少なくとも一つの軸受パッドと、
前記少なくとも一つの軸受パッドの外周側に設けられ、前記少なくとも一つの軸受パッドを保持するように構成されたキャリアリングと、を備え、
各々の前記軸受パッドは、
軸受面を有し、銅又は銅合金により形成される第１部材と、
前記第１部材の背面側に設けられ、鋼により形成される第２部材と、
を含み、
前記キャリアリングは、
前記軸受面に潤滑油を供給するための少なくとも一本の給油ノズルを含む
ことを特徴とするティルティングパッド軸受。
【請求項８】
請求項６又は７に記載のティルティングパッド軸受と、
前記ティルティングパッド軸受によって回転自在に支持されるロータ軸と、
を備えることを特徴とする回転機械。
【手続補正書】
【提出日】令和2年1月8日(2020.1.8)
【手続補正１】
【補正対象書類名】明細書
【補正対象項目名】０００５
【補正方法】変更
【補正の内容】
【０００５】
そして、リテーナ４と同軸状にリテーナ４の先端側から突出するシャフト１２が備えられ、前記シャフト１２は、その先端が複数の遮蔽板２１を備えた開閉機構２０に接続されている。これにより、シャフト１２はリテーナ４の進退移動に同期して軸方向に進退移動し、前記複数の遮蔽板２１を連動して回動（開閉）させるように動作する。
【手続補正２】
【補正対象書類名】明細書
【補正対象項目名】００３６
【補正方法】変更
【補正の内容】
【００３６】
一方、例えばエンジンからの熱を受けることによるサーモエレメント６の作用により、シャフト１２（大径部１２ａ）が前進すると、図５に示すようにパッキンホルダ１７の背面１７ｄが戻しばね１１から受ける拡開圧力も増加することになり、この拡開圧力は、パッキン１６の円板状の当接部１６ｃに加わる。その結果、当接部１６ｃの軸方向に圧縮されるゴム肉部が、軸直角方向に膨張する。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
電動オイルポンプと、前記電動オイルポンプに装着されるベースプレートとを有し、
前記電動オイルポンプは、
軸方向に延びる中心軸を中心として回転可能な出力軸を有するモータ及び前記モータにより駆動されるポンプを収容する円筒状のハウジング本体と、
前記ハウジング本体の外周面から、径方向外方に延びるフランジ部と、
前記フランジ部の軸方向一方側に設けられ、前記モータを制御する制御回路が収容される制御回路用ケースと、を有し、
前記ベースプレートは、
前記ハウジング本体の前記外周面に固定される環状本体部と、
前記環状本体部と前記ハウジング本体との間に配置されるシーリング部材と、
を有し、
前記環状本体部は、
前記軸方向一方側に設けられた第１の面と、
軸方向他方側に設けられた第２の面と、
前記ハウジング本体が貫通する第１の貫通孔と、
前記第１の貫通孔の内縁に沿って設けられ、前記シーリング部材が収容される環状の段差部と、
を有し、
前記ベースプレートは、前記第１の面が前記フランジ部と対向して締結された電動オイルポンプ装置。
【請求項２】
前記第２の面に、環状のシーリング部材が収容される環状の溝部が設けられる請求項１に記載の電動オイルポンプ装置。
【請求項３】
前記溝部に収容される前記環状のシーリング部材は、径方向に突起を有する請求項２に記載の電動オイルポンプ装置。
【請求項４】
前記ベースプレートは、前記制御回路用ケース内の端子が前記ハウジング本体の外部に設けられる部材と前記ハウジング本体の外部で接続するための第２の貫通孔を有し、前記第２の貫通孔の内縁に沿って、前記シーリング部材が収容される環状の段差部が設けられる請求項１乃至３のいずれか１項に記載の電動オイルポンプ装置。
【請求項５】
前記ポンプは、
前記モータによって駆動可能なポンプロータと、
前記ポンプロータを前記軸方向一方側から覆うポンプボディと、
前記ポンプロータを前記軸方向他方側から覆うポンプカバーと、
を有し、
前記ポンプカバーは、前記ハウジング本体の前記軸方向他方側において、前記ハウジング本体の外周面から径方向外方に突出し、前記ポンプカバーにソレノイドバルブ及び／又は圧力センサが装着される請求項４に記載の電動オイルポンプ装置。
【請求項６】
前記電動オイルポンプは、前記ハウジング本体内の前記軸方向一方側の端部に収容され、前記モータと接続されるバスバーアッシーを有し、
径方向において、前記ベースプレートが前記バスバーアッシーの少なくとも一部と重複する請求項１乃至５のいずれか１項に記載の電動オイルポンプ装置。
【請求項７】
前記電動オイルポンプは、前記バスバーアッシーの前記軸方向一方側に接続され、前記制御回路と繋がるターミナルを有し、径方向において、前記ベースプレートが前記ターミナルの少なくとも一部と重複する請求項１乃至６のいずれか１項に記載の電動オイルポンプ装置。
【請求項８】
前記電動オイルポンプは、前記制御回路用ケースの前記軸方向一方側に、前記制御回路用ケースを被覆する制御回路用カバーが前記ハウジング本体に締結部材で締結され、
前記ベースプレートは、前記制御回路用カバーを前記締結部材で締結する第３の貫通孔と、外部との接続面を他の締結部材で締結する第４の貫通孔と、を有し、前記シーリング部材は、前記第３の貫通孔及び前記第４の貫通孔よりも内側に配置される請求項１乃至７のいずれか１項に記載の電動オイルポンプ装置。
【請求項９】
前記第３の貫通孔及び前記第４の貫通孔は、前記ベースプレートの周方向に交互に設けられる請求項８に記載の電動オイルポンプ装置。
【請求項１０】
前記制御回路用ケースは、前記軸方向と直交する任意の方向に延びる開口部を有し、前記第３の貫通孔のうちの前記開口部側の一部は、前記第４の貫通孔のうちの前記開口部側の一部よりも、前記中心軸側に設けられる請求項８又は９に記載の電動オイルポンプ装置。
【請求項１１】
電動オイルポンプに使用されるベースプレートであって、
前記電動オイルポンプは、
軸方向に延びる中心軸を中心として回転可能な出力軸を有するモータ及び前記モータにより駆動されるポンプを収容する円筒状のハウジング本体と、
前記ハウジング本体の外周面から、径方向外方に延びるフランジ部と、
前記フランジ部の軸方向一方側に設けられ、前記モータを制御する制御回路が収容される制御回路用ケースと、
を有し、
前記ベースプレートは、
前記ハウジング本体の外周面に固定される環状本体部と、
前記環状本体部と前記ハウジング本体との間に配置されるシーリング部材と、
を有し、
前記環状本体部は、
前記軸方向一方側に設けられた第１の面と、
軸方向他方側に設けられた第２の面と、
前記ハウジング本体が貫通する第１の貫通孔と、
前記第１の貫通孔の内縁に沿って設けられ、前記シーリング部材が収容される環状の段差部と、
を有する電動オイルポンプ用ベースプレート。
【請求項１２】
前記第２の面に、環状のシーリング部材が収容される環状の溝部が設けられる請求項１１に記載の電動オイルポンプ用ベースプレート。
【請求項１３】
前記ベースプレートは、前記制御回路用ケース内の端子が前記ハウジング本体の外部に設けられる部材と前記ハウジング本体の外部で接続するための第２の貫通孔を有し、前記第２の貫通孔の内縁に沿って、前記シーリング部材が収容される環状の段差部が設けられる請求項１１又は１２に記載の電動オイルポンプ用ベースプレート。
【手続補正書】
【提出日】令和1年12月24日(2019.12.24)
【手続補正１】
【補正対象書類名】明細書
【補正対象項目名】０００２
【補正方法】変更
【補正の内容】
【０００２】
近年、ディーゼル内燃機関等の内燃機関に対して、排ガス中に含まれる有害物質の排出規制が適用されており、その規制は年々厳しくなっている。このため、内燃機関の排気系には、複数のフィルタや触媒コンバータ（Ｃａｔａｌｙｔｉｃ  Ｃｏｎｖｅｒｔｅｒ）が取りつけられている。例えば、有害物質の１つであるＮＯｘを浄化するための触媒コンバータとしては、ＳＣＲ（Ｓｅｌｅｃｔｉｖｅ  Ｃａｔａｌｙｔｉｃ  Ｒｅｄｕｃｔｉｏｎ）触媒を担持したハニカム構造体を含むＳＣＲ触媒コンバータが挙げられる。ＳＣＲ触媒コンバータは、その上流側に取りつけられた還元剤噴射部から噴射される還元剤を用いて、ＮＯｘを還元している。
【手続補正２】
【補正対象書類名】明細書
【補正対象項目名】００１５
【補正方法】変更
【補正の内容】
【００１５】
【図１】本発明の排ガス浄化装置の第一実施形態を模式的に示す、平面透視図である。
【図２】図１に示す第１ＳＣＲ触媒コンバータにおける、ハニカム構造体を第一端面側からみた斜視図である。
【手続補正３】
【補正対象書類名】明細書
【補正対象項目名】００１７
【補正方法】変更
【補正の内容】
【００１７】
（１）排ガス浄化装置：
本発明の排ガス浄化装置の第一実施形態は、図１に示すような排ガス浄化装置１００である。本実施形態の排ガス浄化装置１００は、第１ＳＣＲ触媒コンバータ１、酸化触媒コンバータ２、フィルタ部３、及び第２ＳＣＲ触媒コンバータ４を備える。第１ＳＣＲ触媒コンバータ１、酸化触媒コンバータ２、フィルタ部３、及び第２ＳＣＲ触媒コンバータ４は、内燃機関の排気系に接続される筐体５内に収容された状態で、排気系の排ガスの流れ方向Ｇに対して直列に配設されている。筐体５内での配列は、第１ＳＣＲ触媒コンバータ１の下流側に酸化触媒コンバータ２が配置され、酸化触媒コンバータ２の下流側にフィルタ部３が配置され、フィルタ部３の下流側に第２ＳＣＲ触媒コンバータ４が配置されている。このように構成することにより、排ガスが持つ熱エネルギーが、第１ＳＣＲ触媒コンバータ１により多く伝わりやすくなり、内燃機関の低温始動時においても、第１ＳＣＲ触媒が触媒活性温度まで上昇しやすくなる。即ち、第１ＳＣＲ触媒が活性温度に到達する時間を、従来の排ガス浄化装置に比して短くすることができる。このため、本実施形態の排ガス浄化装置１００は、内燃機関の低温始動時においても、ＮＯｘ浄化効率が高くなる。なお、「排ガスの流れ方向Ｇに対して直列に配設されている」とは、排ガスの流れに沿って一線に並ぶように配設されていることを意味する。したがって、排ガスの流れが直線状であれば、各要素は、排ガスの流れに沿って直線状に配列した状態となる。一方、例えば、排ガスの流れが曲がった状態であれば、各要素は、排ガスの流れに沿って曲線状に配列した状態となる。ここで、図１は、本発明の排ガス浄化装置の第一実施形態を模式的に示す、平面透視図である。図１において、矢印Ｇは、排ガスの流れ方向を示している。図２は、図１に示す第１ＳＣＲ触媒コンバータにおける、ハニカム構造体を、第一端面側からみた斜視図である。
【手続補正４】
【補正対象書類名】明細書
【補正対象項目名】００７６
【補正方法】変更
【補正の内容】
【００７６】
ハニカムフィルタは、セラミックを主成分とするものであることが好ましい。隔壁と外周壁との材質は異なっていても同じであってもよい。隔壁及び外周壁の材質としては、第１ＳＣＲ触媒コンバータ１に用いられるハニカム構造体２０（図２参照）における、隔壁２４（図２参照）の材料の好適例として挙げたものと同様の材料を挙げることができる。
【手続補正５】
【補正対象書類名】明細書
【補正対象項目名】００９０
【補正方法】変更
【補正の内容】
【００９０】
第２ハニカム構造体は、セラミックを主成分とするものであることが好ましい。隔壁と外周壁との材質は異なっていても同じであってもよい。隔壁及び外周壁の材質としては、第１ＳＣＲ触媒コンバータ１に用いられるハニカム構造体２０（図２参照）における、隔壁２４（図２参照）の材料の好適例として挙げたものと同様の材料を挙げることができる。
【手続補正６】
【補正対象書類名】明細書
【補正対象項目名】０１５７
【補正方法】変更
【補正の内容】
【０１５７】
（筐体作製工程）
筐体は、以下の方法で作製した。まず、直径２８０ｍｍのパイプ状のステンレス材料を用意した。次に、このパイプ状のステンレス材料を用いて、ＳＣＲ（ｂ）、ＤＯＣ、ＤＰＦ、及びＳＣＲ（ａ）を収容する収容部を４つ作製した。次に、別の直径３５ｍｍのパイプ状のステンレス材料を用いて、上述した４つの収容部を、上述した順番で直列に接続した。このようにして作製したものを、本実施例における筐体とした。なお、ＳＣＲ（ｂ）を収容する収容部は、ＳＣＲ（ｂ）を１つ収容可能な大きさとし、ＳＣＲ（ａ）を収容する収容部は、ＳＣＲ（ａ）を２つ収容可能な大きさとした。以下、「ＳＣＲ（ｂ）」、「ＤＯＣ」、「ＤＰＦ」、及び「ＳＣＲ（ａ）」のそれぞれを総称して、「浄化部材」ということがある。
【手続補正７】
【補正対象書類名】明細書
【補正対象項目名】０１６０
【補正方法】変更
【補正の内容】
【０１６０】
（比較例１〜６）
表５に示すように、ＳＣＲ（ａ）の隔壁の厚さ、セル密度、気孔率、及び触媒総担持量をそれぞれ変更した。また、比較例１〜６においては、表４に示すように、ＳＣＲ（ｂ）を作製せず、筐体へは、ＤＯＣ、ＤＰＦ、ＳＣＲ（ａ）の順で収容することによって、排ガス浄化装置を作製した。ＤＯＣ、及びＤＰＦの構成は、実施例１の排ガス浄化装置と同じ構成のものを用いた。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
カムに追従して変位する従動部材と、
前記従動部材に接触し、前記従動部材の変位が伝達されることで吸気ポートまたは排気ポートを開くようにリフトするバルブと、
前記従動部材に接触する出没部と、作動油により容積変化して該容積変化に応じて前記出没部を出没駆動させる油圧室とを有し、前記カムのノーズ部によって前記バルブがリフトしている間に、前記油圧室に通じるオイルリリーフ通路を開き、前記油圧室の容積を縮小して前記出没部を後退させて前記バルブを任意のタイミングで閉じ動作させる油圧アクチュエータと、
前記オイルリリーフ通路の開閉を制御する制御部と、を備え、
前記制御部は、内燃機関の始動時に、前記油圧室内の空気を排出するよう前記オイルリリーフ通路を開閉する空気抜き動作を実施し、
前記空気抜き動作において、前記カムのベース円部と前記従動部材とが接触して前記バルブがリフトしない非リフト期間は、前記オイルリリーフ通路を開いた状態に保持し、かつ、前記カムのノーズ部と前記従動部材とが接触して前記バルブがリフト可能なリフト可能期間は、前記オイルリリーフ通路を閉じた状態にする第１開閉制御を行うことを特徴とする内燃機関の可変動弁装置。
【請求項２】
前記内燃機関の始動時が、アイドルストップからの再始動時、または始動操作による通常始動時であり、
前記制御部は、前記通常始動時に冷却水の水温が所定水温以下である場合に、
前記空気抜き動作において、
前記非リフト期間、および前記リフト可能期間における最大リフト時以前の期間は、前記オイルリリーフ通路を開いた状態に保持し、かつ、前記リフト可能期間における最大リフト時より後の期間は、前記オイルリリーフ通路を閉じた状態にする第２開閉制御を行い、
前記第２開閉制御の終了後、前記第１開閉制御を行うことを特徴とする請求項１に記載の内燃機関の可変動弁装置。
【請求項３】
前記制御部は、
前記水温が低いほど前記第２開閉制御を行う回数を増やすことを特徴とする請求項２に記載の内燃機関の可変動弁装置。
【請求項４】
前記制御部は、前記内燃機関の始動時に、
前記バルブのリフト量が所定の正常リフト量になった場合に前記空気抜き動作を終了することを特徴とする請求項１から請求項３の何れか１項に記載の内燃機関の可変動弁装置。
【手続補正２】
【補正対象書類名】明細書
【補正対象項目名】０００９
【補正方法】変更
【補正の内容】
【０００９】
上述した課題を解決し、目的を達成するために、本発明の一態様は、カムに追従して変位する従動部材と、前記従動部材に接触し、前記従動部材の変位が伝達されることで吸気ポートまたは排気ポートを開くようにリフトするバルブと、前記従動部材に接触する出没部と、作動油により容積変化して該容積変化に応じて前記出没部を出没駆動させる油圧室とを有し、前記カムのノーズ部によって前記バルブがリフトしている間に、前記油圧室に通じるオイルリリーフ通路を開き、前記油圧室の容積を縮小して前記出没部を後退させて前記バルブを任意のタイミングで閉じ動作させる油圧アクチュエータと、前記オイルリリーフ通路の開閉を制御する制御部と、を備え、前記制御部は、内燃機関の始動時に、前記油圧室内の空気を排出するよう前記オイルリリーフ通路を開閉する空気抜き動作を実施し、前記空気抜き動作において、前記カムのベース円部と前記従動部材とが接触して前記バルブがリフトしない非リフト期間は、前記オイルリリーフ通路を開いた状態に保持し、かつ、前記カムのノーズ部と前記従動部材とが接触して前記バルブがリフト可能なリフト可能期間は、前記オイルリリーフ通路を閉じた状態にする第１開閉制御を行うことを特徴とする。
【手続補正書】
【提出日】令和1年12月23日(2019.12.23)
【手続補正１】
【補正対象書類名】明細書
【補正対象項目名】００４８
【補正方法】変更
【補正の内容】
【００４８】
軸部材の条件を下記の表中に示すように変えて、比較例１の現像ローラを作製した。
【手続補正２】
【補正対象書類名】明細書
【補正対象項目名】００５４
【補正方法】変更
【補正の内容】
【００５４】
【表１】
2018159723.tif 000001
【手続補正３】
【補正対象書類名】明細書
【補正対象項目名】００５５
【補正方法】変更
【補正の内容】
【００５５】
【表２】
2018159723.tif 000002
【手続補正４】
【補正対象書類名】明細書
【補正対象項目名】００５６
【補正方法】変更
【補正の内容】
【００５６】
上記表中に示すように、軸部材として樹脂材料の一体物、すなわち、軸部もフランジ部も樹脂製であるものを用いた比較例１では、力学的および熱的強度の不足により強度が悪化するとともに、軸部の変形により、導通が悪化している。これに対し、軸部材が金属材料からなる軸部と樹脂材料からなるフランジ部とを備え、軸部とフランジ部との間に接着剤が充填され、軸部の周面の少なくとも一部がフランジ部と接している実施例１の現像ローラにおいては、十分な導通が確保されるとともに、接着性や強度、振れについても良好となっていることがわかる。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
第１情報及び第２情報を含む複数の情報が対応付けられている１本の白鍵、を含む複数の白鍵と、
第１黒鍵と、第２黒鍵と、を含む複数の黒鍵と、
制御部と、を備え、
前記制御部は、
設定された楽音発音モードにしたがって、押鍵操作に応じた楽音の発音指示を受け付ける発音指示受付処理と、
設定された記号入力モードにしたがって、前記１本の白鍵及び前記第１黒鍵に対する押鍵操作に応じて前記第１情報の入力を受け付け、前記１本の白鍵及び前記第２黒鍵に対する押鍵操作に応じて前記第２情報の入力を受け付ける記号入力受付処理と、
を実行する電子楽器。
【請求項２】
前記１本の白鍵には、前記複数の情報として、母音文字及び子音文字が対応付けられている、
請求項１に記載の電子楽器。
【請求項３】
前記１本の白鍵には、前記複数の情報として、複数の子音文字が対応付けられている、
請求項１に記載の電子楽器。
【請求項４】
前記１本の白鍵には、前記複数の情報として、複数のコマンドが対応付けられている、
請求項１に記載の電子楽器。
【請求項５】
前記１本の白鍵に、複数の文字が、縦一列に並んで表示されており、
前記１本の白鍵及び前記第１黒鍵に対する押鍵操作に応じて、前記１本の白鍵における１行目に表示される文字の入力を受け付け、前記１本の白鍵及び前記第２黒鍵に対する押鍵操作に応じて、前記１本の白鍵における２行目に表示される文字の入力を受け付ける、
請求項１乃至３のいずれかに記載の電子楽器。
【請求項６】
第１情報及び第２情報を含む複数の情報が対応付けられている１本の白鍵、を含む複数の白鍵と、
第１黒鍵と、第２黒鍵と、を含む複数の黒鍵と、
を備える電子楽器の制御部に、
設定された楽音発音モードにしたがって、押鍵操作に応じた楽音の発音指示を受け付ける発音指示受付処理と、
設定された記号入力モードにしたがって、前記１本の白鍵及び前記第１黒鍵に対する押鍵操作に応じて前記第１情報の入力を受け付け、前記１本の白鍵及び前記第２黒鍵に対する押鍵操作に応じて前記第２情報の入力を受け付ける記号入力受付処理と、
を実行させる方法。
【請求項７】
第１情報及び第２情報を含む複数の情報が対応付けられている１本の白鍵、を含む複数の白鍵と、
第１黒鍵と、第２黒鍵と、を含む複数の黒鍵と、
を備える電子楽器の制御部に、
設定された楽音発音モードにしたがって、押鍵操作に応じた楽音の発音指示を受け付ける発音指示受付処理と、
設定された記号入力モードにしたがって、前記１本の白鍵及び前記第１黒鍵に対する押鍵操作に応じて前記第１情報の入力を受け付け、前記１本の白鍵及び前記第２黒鍵に対する押鍵操作に応じて前記第２情報の入力を受け付ける記号入力受付処理と、
を実行させるプログラム。
【手続補正２】
【補正対象書類名】明細書
【補正対象項目名】０００６
【補正方法】変更
【補正の内容】
【０００６】
上記目的を達成するため、本発明の一実施態様である電子楽器は、第１情報及び第２情報を含む複数の情報が対応付けられている１本の白鍵、を含む複数の白鍵と、第１黒鍵と、第２黒鍵と、を含む複数の黒鍵と、制御部と、を備え、前記制御部は、設定された楽音発音モードにしたがって、押鍵操作に応じた楽音の発音指示を受け付ける発音指示受付処理と、設定された記号入力モードにしたがって、前記１本の白鍵及び前記第１黒鍵に対する押鍵操作に応じて前記第１情報の入力を受け付け、前記１本の白鍵及び前記第２黒鍵に対する押鍵操作に応じて前記第２情報の入力を受け付ける記号入力受付処理と、を実行する。
【手続補正書】
【提出日】令和2年2月27日(2020.2.27)
【手続補正１】
【補正対象書類名】明細書
【補正対象項目名】０００６
【補正方法】変更
【補正の内容】
【０００６】
上記目的を達成するため、本発明の一態様の電子楽器は、
第１波長の光を吸収して第１光を発する第１発光部材が第１記号のパターンで、第２波長の光を吸収して第２光を発する第２発光部材が第２記号のパターンで、内側にそれぞれ配置されている鍵を含む鍵盤と、
前記第１波長を含み且つ前記第２波長を含まない光と、前記第２波長を含み且つ前記第１波長を含まない光と、を前記鍵に対してそれぞれ照射する光源部と、
制御部と、
を備え、
前記制御部は、
設定された楽音発音モードにしたがって、押鍵操作に応じた楽音の発音指示を受け付ける発音指示受付処理と、
前記鍵に対して、第１記号表示モードが設定されている場合に前記第１記号を表示させ、第２記号表示モードが設定されている場合に前記第２記号を表示させる表示処理と、
を実行する。
【手続補正２】
【補正対象書類名】特許請求の範囲
【補正対象項目名】全文
【補正方法】変更
【補正の内容】
【特許請求の範囲】
【請求項１】
第１波長の光を吸収して第１光を発する第１発光部材が第１記号のパターンで、第２波長の光を吸収して第２光を発する第２発光部材が第２記号のパターンで、内側にそれぞれ配置されている鍵を含む鍵盤と、
前記第１波長を含み且つ前記第２波長を含まない光と、前記第２波長を含み且つ前記第１波長を含まない光と、を前記鍵に対してそれぞれ照射する光源部と、
制御部と、
を備え、
前記制御部は、
設定された楽音発音モードにしたがって、押鍵操作に応じた楽音の発音指示を受け付ける発音指示受付処理と、
前記鍵に対して、第１記号表示モードが設定されている場合に前記第１記号を表示させ、第２記号表示モードが設定されている場合に前記第２記号を表示させる表示処理と、
を実行する電子楽器。
【請求項２】
前記第１発光部材と前記第２発光部材はそれぞれ重ねて配置され、
前記光源部が前記第１波長を含み且つ前記第２波長を含まない光を照射することにより、前記表示部に前記第１記号のパターンを表示させ、
前記光源部が前記第２波長を含み且つ前記第１波長を含まない光を照射することにより、前記鍵に前記第２記号のパターンを表示させる請求項１に記載の電子楽器。
【請求項３】
前記鍵は、内部かつ前記第１発光部材又は前記第２発光部材の外側に、外部からの紫外線を遮断する紫外線遮断部材を備えることを特徴とする請求項１又は２に記載の電子楽器。
【請求項４】
前記第１発光部材が前記第１波長の光を受けて前記第１光を発する第１変換効率が、前記第２発光部材が前記第２波長の光を受けて前記第２光を発する第２変換効率より高い場合に、前記第１発光部材が前記第２発光部材の下側に配置され、
前記第２変換効率が前記第１変換効率より高い場合に、前記第２発光部材が前記第１発光部材の下側に配置されることを特徴とする請求項１から３のいずれか１項に記載の電子楽器。
【請求項５】
第１波長の光を吸収して第１光を発する第１発光部材が第１記号のパターンで、第２波長の光を吸収して第２光を発する第２発光部材が第２記号のパターンで、内側にそれぞれ配置されている鍵を含む鍵盤と、
前記第１波長を含み且つ前記第２波長を含まない光と、前記第２波長を含み且つ前記第１波長を含まない光と、を前記鍵に対してそれぞれ照射する光源部と、
を備る電子楽器の制御部に、
設定された楽音発音モードにしたがって、押鍵操作に応じた楽音の発音指示を受け付ける発音指示受付処理と、
前記鍵に対して、第１記号表示モードが設定されている場合に前記第１記号を表示させ、第２記号表示モードが設定されている場合に前記第２記号を表示させる表示処理と、
を実行させる方法。
【請求項６】
第１波長の光を吸収して第１光を発する第１発光部材が第１記号のパターンで、第２波長の光を吸収して第２光を発する第２発光部材が第２記号のパターンで、内側にそれぞれ配置されている鍵を含む鍵盤と、
前記第１波長を含み且つ前記第２波長を含まない光と、前記第２波長を含み且つ前記第１波長を含まない光と、を前記鍵に対してそれぞれ照射する光源部と、
を備る電子楽器の制御部に、
設定された楽音発音モードにしたがって、押鍵操作に応じた楽音の発音指示を受け付ける発音指示受付処理と、
前記鍵に対して、第１記号表示モードが設定されている場合に前記第１記号を表示させ、第２記号表示モードが設定されている場合に前記第２記号を表示させる表示処理と、
を実行させるプログラム。
【手続補正書】
【提出日】令和2年2月13日(2020.2.13)
【手続補正１】
【補正対象書類名】明細書
【補正対象項目名】発明の名称
【補正方法】変更
【補正の内容】
【発明の名称】情報処理装置、感情認識方法、及び、プログラム
【手続補正２】
【補正対象書類名】明細書
【補正対象項目名】０００１
【補正方法】変更
【補正の内容】
【０００１】
本発明は、情報処理装置、感情認識方法、及び、プログラムに関する。
【手続補正３】
【補正対象書類名】明細書
【補正対象項目名】０００６
【補正方法】変更
【補正の内容】
【０００６】
本発明は、上記の事情に鑑みてなされたものであり、ユーザの感情に適合しない処理の実行を抑制する情報処理装置、感情認識方法、及び、プログラムを提供することを目的とする。
【手続補正４】
【補正対象書類名】明細書
【補正対象項目名】０００７
【補正方法】変更
【補正の内容】
【０００７】
上記目的を達成するため、本発明に係る情報処理装置は、
ユーザが発音した音声を取得する音声取得手段と、
感情毎に、前記音声を発音した際の前記ユーザの感情が当該感情である可能性の高さを示す当該感情に係る音声感情スコアを取得する音声感情スコア取得手段と、
前記音声が録音された際に撮像された前記ユーザの顔画像を取得する顔画像取得手段と、
感情毎に、前記顔画像が撮像された際の前記ユーザの感情が当該感情である可能性の高さを示す当該感情に係る顔感情スコアを取得する顔感情スコア取得手段と、
前記音声を音素列に変換する音素列変換手段と、
前記音声感情スコアと前記顔感情スコアとに基づいて、音素列のうち、前記ユーザの感情と関連度が高い音素列を感情音素列として抽出する抽出手段と、
前記抽出手段により抽出された感情音素列に基づいて、前記ユーザの感情認識に係る処理を実行する処理手段と、
を備えることを特徴とする。
【手続補正５】
【補正対象書類名】明細書
【補正対象項目名】０００８
【補正方法】変更
【補正の内容】
【０００８】
本発明によれば、ユーザの感情に適合しない処理の実行を抑制する情報処理装置、感情認識方法、及び、プログラムを提供することができる。
【手続補正６】
【補正対象書類名】特許請求の範囲
【補正対象項目名】全文
【補正方法】変更
【補正の内容】
【特許請求の範囲】
【請求項１】
ユーザが発音した音声を取得する音声取得手段と、
感情毎に、前記音声を発音した際の前記ユーザの感情が当該感情である可能性の高さを示す当該感情に係る音声感情スコアを取得する音声感情スコア取得手段と、
前記音声が録音された際に撮像された前記ユーザの顔画像を取得する顔画像取得手段と、
感情毎に、前記顔画像が撮像された際の前記ユーザの感情が当該感情である可能性の高さを示す当該感情に係る顔感情スコアを取得する顔感情スコア取得手段と、
前記音声を音素列に変換する音素列変換手段と、
前記音声感情スコアと前記顔感情スコアとに基づいて、音素列のうち、前記ユーザの感情と関連度が高い音素列を感情音素列として抽出する抽出手段と、
前記抽出手段により抽出された感情音素列に基づいて、前記ユーザの感情認識に係る処理を実行する処理手段と、
を備えることを特徴とする情報処理装置。
【請求項２】
前記音声感情スコア取得手段は、音素列に応じて、感情毎に、当該音素列に対応する音声を発音した際の前記ユーザの感情が当該感情である可能性の高さを示す当該感情に係る音声感情スコアを取得し、
音素列に対応付けて、感情毎に、当該音素列に対応する音声に応じた当該感情に係る前記音声感情スコア及び前記顔感情スコアが検出条件を満たすと判定された回数の累積値である、当該感情に係る感情頻度を含む頻度データを取得する頻度データ取得手段と、
音素列と感情との関連度を前記頻度データに従って評価することにより、当該音素列が前記感情音素列であるか否かを判定する判定手段と、
をさらに備え、
前記抽出手段は、前記判定手段による判定に従って前記感情音素列を抽出することを特徴とする請求項１に記載の情報処理装置。
【請求項３】
前記判定手段は、音素列のうち、当該音素列と感情との関連度が有意に高いことと、当該音素列に対応付けて前記頻度データに含まれている各感情に係る前記感情頻度の合計値に対する当該音素列に対応付けて前記頻度データに含まれている当該感情に係る前記感情頻度の割合が学習閾値以上であることと、のうち少なくとも何れか一方の条件を満たす音素列を感情音素列であると判定することを特徴とする請求項２に記載の情報処理装置。
【請求項４】
前記感情音素列と感情との関連度に応じた調整スコアを生成する調整スコア生成手段をさらに備えることを特徴とする請求項２又は３に記載の情報処理装置。
【請求項５】
前記処理手段は、前記調整スコアに従って前記ユーザの感情を認識することを特徴とする請求項４に記載の情報処理装置。
【請求項６】
前記処理手段は、前記調整スコアに従って前記音声感情スコア及び前記顔感情スコアの計算に用いるパラメータを更新することを特徴とする請求項４又は５に記載の情報処理装置。
【請求項７】
情報処理装置の感情認識方法であって、
ユーザが発音した音声を取得する音声取得ステップと、
感情毎に、前記音声を発音した際の前記ユーザの感情が当該感情である可能性の高さを示す当該感情に係る音声感情スコアを取得する音声感情スコア取得ステップと、
前記音声が録音された際に撮像された前記ユーザの顔画像を取得する顔画像取得ステップと、
感情毎に、前記顔画像が撮像された際の前記ユーザの感情が当該感情である可能性の高さを示す当該感情に係る顔感情スコアを取得する顔感情スコア取得ステップと、
前記音声を音素列に変換する音素列変換ステップと、
前記音声感情スコアと前記顔感情スコアとに基づいて、音素列のうち、前記ユーザの感情と関連度が高い音素列を感情音素列として抽出する抽出ステップと、
前記抽出ステップにより抽出された感情音素列に基づいて、前記ユーザの感情認識に係る処理を実行する処理ステップと、
を含むことを特徴とする感情認識方法。
【請求項８】
情報処理装置のコンピュータを、
ユーザが発音した音声を取得する音声取得手段、
感情毎に、前記音声を発音した際の前記ユーザの感情が当該感情である可能性の高さを示す当該感情に係る音声感情スコアを取得する音声感情スコア取得手段、
前記音声が録音された際に撮像された前記ユーザの顔画像を取得する顔画像取得手段、
感情毎に、前記顔画像が撮像された際の前記ユーザの感情が当該感情である可能性の高さを示す当該感情に係る顔感情スコアを取得する顔感情スコア取得手段、
前記音声を音素列に変換する音素列変換手段、
前記音声感情スコアと前記顔感情スコアとに基づいて、音素列のうち、前記ユーザの感情と関連度が高い音素列を感情音素列として抽出する抽出手段、
前記抽出手段により抽出された感情音素列に基づいて、前記ユーザの感情認識に係る処理を実行する処理手段、
として機能させることを特徴とするプログラム。
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
吸込口と排出口とが設けられた本体ケースと、
前記本体ケース内に、空気清浄機構と、加湿機構とを備え、
前記空気清浄機構は、
前記吸込口より前記本体ケース内に吸込んだ空気を浄化するフィルターと、
前記フィルターにて浄化された空気を前記排出口より前記本体ケース外に排出させる送風手段とを有し、
前記加湿機構は、
水を加熱して蒸気を発生させる加熱手段を有し、
前記蒸気を含む加湿空気を放出する前記加湿機構の蒸気口を、前記空気清浄機構の排出口とは別に備え、
前記排出口が、前記本体ケースの背面の左右方向の一方に寄って設けられ、
前記蒸気口は、前記本体ケースの天面の左右方向の他方に寄って設けられる加湿空気清浄機。
【請求項２】
前記排出口と前記蒸気口が左右方向において互いに重ならない位置に設けられている請求項１に記載の加湿空気清浄機。
【請求項３】
前記空気清浄機構の前記送風手段により送られる空気の一部を前記加湿機構に導くガイド部を設け、前記空気清浄機構により浄化された空気を前記加湿空気に混合するように構成されている請求項１又は２に記載の加湿空気清浄機。
【請求項４】
前記送風手段は、ファンと、ケーシングとを、有し、
前記ガイド部は、
前記ケーシングの側壁部に沿って設けられるストレート部分と、
前記ストレート部分に連設されて前記空気を前記加湿機構側へ導くカーブ部分と、を有する請求項３に記載の加湿空気清浄機。
【請求項５】
前記加湿機構は、前記加湿空気の風路を形成する筒状の加湿筒を有し、
前記加湿筒には、前記空気清浄機構から浄化された空気を取り込む取り込み窓が形成されている請求項３又は４に記載の加湿空気清浄機。
【請求項６】
前記加湿機構は、水を貯留する水タンクと、前記水タンクから給水される水を受ける水受けトレイとを、有し、
前記水受けトレイは、転倒時に前記加熱手段で加熱された水をせき止める仕切り板を有する安全カバーを備えている請求項１〜５の何れか１項に記載の加湿空気清浄機。
【請求項７】
前記加湿機構は、水を貯留する水タンクと、前記水タンクから給水される水を受ける水受けトレイとを、有し、
前記水受けトレイは、底が塞がれた着脱自在のカップを有している請求項１〜５の何れか１項に記載の加湿空気清浄機。
【手続補正２】
【補正対象書類名】明細書
【補正対象項目名】０００８
【補正方法】変更
【補正の内容】
【０００８】
本実施の形態の一態様によれば、吸込口と排出口とが設けられた本体ケースと、前記本体ケース内に、空気清浄機構と、加湿機構とを備え、前記空気清浄機構は、前記吸込口より前記本体ケース内に吸込んだ空気を浄化するフィルターと、前記フィルターにて浄化された空気を前記排出口より前記本体ケース外に排出させる送風手段とを有し、前記加湿機構は、水を加熱して蒸気を発生させる加熱手段を有し、前記蒸気を含む加湿空気を放出する前記加湿機構の蒸気口を、前記空気清浄機構の排出口とは別に備え、前記排出口が、前記本体ケースの背面の左右方向の一方に寄って設けられ、前記蒸気口は、前記本体ケースの天面の左右方向の他方に寄って設けられる加湿空気清浄機が提供される。
【手続補正３】
【補正対象書類名】明細書
【補正対象項目名】０００９
【補正方法】削除
【補正の内容】
【手続補正書】
【提出日】令和2年4月15日(2020.4.15)
【手続補正１】
【補正対象書類名】明細書
【補正対象項目名】００４５
【補正方法】変更
【補正の内容】
【００４５】
［比較例３］
蛍光染料として式５で示したチバスペシャリティーケミカル社製「ＵＶＩＴＥＸ  ＯＢ」（商品名）を用いる以外は実施例１と同様にして５６Ｔ／２８のポリエステル繊維Ａ３を得た。
【手続補正２】
【補正対象書類名】明細書
【補正対象項目名】００４６
【補正方法】変更
【補正の内容】
【００４６】
［比較例４］
蛍光染料として式６で示したチバスペシャリティーケミカル社製「ＵＶＩＴＥＸ  ＯＢ−ＯＮＥ」（商品名）を用いる以外は実施例１と同様にして５６Ｔ／２８のポリエステル繊維Ａ４を得た。
【手続補正書】
【提出日】令和1年12月24日(2019.12.24)
【手続補正１】
【補正対象書類名】明細書
【補正対象項目名】００１４
【補正方法】変更
【補正の内容】
【００１４】
このような本発明で好ましく用いることのできる全芳香族ポリアミドは、例えば、アミ
ド系極性溶媒中で、芳香族ジカルボン酸クロライド成分と芳香族ジアミン成分とを溶液中
で反応させて得ることができるものである。特には強度の観点からはパラ系の全芳香族ポ
リアミドであることが好ましく、またポリマー溶液から中空繊維を得る際に中空形状を調
整しやすい観点からは、共重合全芳香族ポリアミドであることが好ましい。
【手続補正２】
【補正対象書類名】明細書
【補正対象項目名】００１５
【補正方法】変更
【補正の内容】
【００１５】
ここで全芳香族ポリアミドの製造で使用される芳香族ジカルボン酸クロライド成分とし
ては、特に限定されるものではないが、得られる繊維物性の観点から、テレフタル酸クロ
ライドであることが好ましい。同じく、全芳香族ポリアミドの製造において使用される芳
香族ジアミン成分としては、特に限定されるものではないが、得られる繊維物性の観点か
ら、ｐ−フェニレンジアミンと３，４‘−ジアミノジフェニルエーテルとを組み合わせて
用いることが好ましい。このようなパラ系の共重合全芳香族ポリアミドを用いることによ
って、強度と中空形状とを高いレベルで維持することが可能となる。
【手続補正３】
【補正対象書類名】明細書
【補正対象項目名】００２２
【補正方法】変更
【補正の内容】
【００２２】
中でも好ましく用いられる樹脂としては、繊維強度等の物性からは全芳香族ポリアミド樹脂であることが好ましい。中でも、強度の観点からはパラ系の全芳香族ポリアミドであることが好ましく、またポリマー溶液から中空繊維を得る際に中空形状を調整しやすい観点からは、共重合全芳香族ポリアミドであることが好ましい。特には芳香族ジカルボン酸クロライド成分としては、テレフタル酸クロライドであることが好ましく、芳香族ジアミン成分としては、ｐ−フェニレンジアミンと３，４‘−ジアミノジフェニルエーテルとを組み合わせて用いることが好ましい。このようなパラ系の共重合全芳香族ポリアミドを用いることによって、最終的に得られる繊維の強度と中空形状とを高いレベルで維持することが可能となる。芳香族ジカルボン酸クロライド成分と、芳香族ジアミン成分との比は、芳香族ジアミン成分に対する芳香族ジカルボン酸クロライド成分のモル比として０．９０〜１．１０の範囲とすることが好ましい。さらには０．９５〜１．０５の範囲とすることが好ましい。
【手続補正４】
【補正対象書類名】明細書
【補正対象項目名】００３６
【補正方法】変更
【補正の内容】
【００３６】
［実施例１］
芳香族ジカルボン酸クロライド成分としてテレフタル酸クロライドを用い、芳香族ジアミン成分としてｐ−フェニレンジアミンと３，４‘−ジアミノジフェニルエーテルを用いて、重合する際の溶媒としてはＮ−メチル−２−ピロリドン（ＮＭＰ）を用いて、ポリマー濃度６重量％のパラ系共重合芳香族ポリアミド紡糸用の合成樹脂溶液（ポリマー溶液）を得た。このポリマー溶液を、図１の形状の吐出孔から、中空吐出繊維が１５本となる口金より吐出し、１０ｍｍのエアギャップを介して、ＮＭＰ濃度３０％の水溶液中で凝固させた後、水洗、乾燥を経て温度５３０℃で１０倍に延伸し、全芳香族ポリアミド樹脂からなる高強度中空繊維を得た。なおこの繊維のガラス転移点温度は３７０℃であった。得られた高強度中空繊維の物性を表１に示す。
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
水熱炭化反応を行うための装置であって、該装置は反応槽（１）を含み、
該反応槽（１）は、
高温蒸気を取り込むために蒸気発生装置（４）と接続されており、
バイオマスを取り込むために供給管（８）を介して混合槽と接続されており、かつ
該反応槽（１）内で高温蒸気とバイオマスとから生じるスラリーを排出するために、緩衝槽（３）と接続されており、前記混合槽は、前記混合槽に装入されたバイオマスへ放熱するための第１の熱交換器（１３）を備え、
前記反応槽（１）から前記緩衝槽（３）へと排出されるスラリーの熱を閉鎖式熱循環部（９）に取り込むために、前記第１の熱交換器（１３）と、前記緩衝槽（３）に組み込まれた第２の熱交換器（１４）とが接続されており、前記混合槽および／もしくは緩衝槽（３）は、少なくとも１つのコイル式熱交換器（１８）に包囲されており、かつ／または前記混合槽および／もしくは前記緩衝槽（３）に少なくとも１つのコイル式熱交換器（１８）が通っている装置において、前記混合槽がパルパー（２）として構成されており、前記閉鎖式熱循環部（９）内で熱媒油が熱媒として案内され、かつ前記熱循環部（９）に第３の熱交換器が少なくとも１つ組み込まれており、該第３の熱交換器によって、前記熱循環部（９）からの熱の排出および／または前記熱循環部（９）への熱の供給を狙い通りに行うことができることを特徴とする装置。
【請求項２】
前記パルパー（２）と前記反応槽（１）とは、前記供給管（８）以外にガス管（１０）をも介して接続されており、前記反応槽（１）から排出された清浄化ガスを前記パルパー（２）に供給できることを特徴とする、請求項１記載の装置。
【請求項３】
前記パルパー（２）は、高温蒸気を供給するために蒸気管（１１）を介して前記蒸気発生装置（４）と接続されていることを特徴とする、請求項１または２記載の装置。
【請求項４】
前記パルパー（２）は、バイオマスと高温蒸気とを混合する手段を備えることを特徴とする、請求項３記載の装置。
【請求項５】
前記バイオマスと高温蒸気とを混合する手段は、非対称の撹拌装置および／または混合ノズル集成体であることを特徴とする、請求項４記載の装置。
【請求項６】
前記パルパー（２）と前記反応槽（１）との間の前記供給管（８）に遠心ポンプが組み込まれていることを特徴とする、請求項３から５までのいずれか１項記載の装置。
【請求項７】
前記パルパー（２）は、砂状物およびスラッジを沈殿させるためのホッパ形状の底部を備え、前記ホッパの先端部に組み込まれた排出口は、砂状物分離装置（５）と接続されていることを特徴とする、請求項１から６までのいずれか１項記載の装置。
【請求項８】
１つのパルパー（２）に対し、同種の反応槽（１）が並列して複数割り当てられていることを特徴とする、請求項１から７までのいずれか１項記載の装置。
【請求項９】
前記パルパー（２）および／または前記緩衝槽（３）はそれぞれ、互いに連通する複数の槽ユニットから構成されており、該槽ユニットは、好ましくは同種のものであることを特徴とする、請求項１から８までのいずれか１項記載の装置。